(57)【要約】      （修正有）【課題】表裏を識別でき、自立可能で、かつ低コストなまな板を提供する。【解決手段】まな板本体１の下端に設けた切り欠き２内に、この切り欠き内に嵌装可能な平面形状を有するスタンド片３を軸支し、上記スタンド片を回動によりまな板本体の厚み方向に突出させることにより端面を上下に向けた状態で自立可能とする。さらに、切り欠きおよびこれに対応するスタンド片の平面形状を左右非対称とすることによりまな板本体に対しスタンド片が１８０度回転することを防止するとともに、スタンド片の表裏面に表裏を識別するための表示Ｐ１等を施したことを特徴としてまな板を形成する。【選択図】図１
0003182745.tif 000002
【実用新案登録請求の範囲】
【請求項１】
まな板本体の下端に設けた切り欠き内に、この切り欠き内に嵌装可能な平面形状を有するスタンド片を軸支し、上記スタンド片を回動によりまな板本体の厚み方向に突出させることにより端面を上下に向けた状態で自立可能としたまな板において、切り欠きおよびこれに対応するスタンド片の平面形状を左右非対称とすることによりまな板本体に対しスタンド片が１８０度回転することを防止するとともに、スタンド片の表裏面に表裏を識別するための表示を施したことを特徴とするまな板。
【請求項２】
切り欠きをまな板本体の隅角箇所に設けるとともに、そこに嵌装されるスタンド片のまな板本体の外方側に指先を挿入可能な窪み部を設けた請求項１記載のまな板。
【考案の詳細な説明】
【技術分野】
【０００１】
この考案はまな板に関し、より詳細には起立状態に保つためのスタンドを有するまな板に関する。
【背景技術】
【０００２】
雑菌が生じやすいまな板を清潔に保つためには、使用後に収納場所に収納する前に十分な水切りを行うと共に乾燥させることが必要である。そのため、まな板の端面を上下に向けた起立状態でしばらく載置することが推奨されている。
【０００３】
この場合、一般的には壁面等にまな板を立てかけることが行われているが、ちょっとした外力により転倒のおそれがあったり、他の物品の邪魔になったりしがちなので、任意の箇所に起立状態で自立させる工夫が望まれていた。
【０００４】
そのため、回動するスタンド片をまな板本体に軸支したスタンド付きまな板が従来提案されていた。これらのスタンド付きまな板によればスタンド片を回動によりまな板本体の厚み方向に突出させることにより端面を上下に向けた状態でまな板は自立可能となる。
【０００５】
前記従来技術のまな板はスタンド片がまな板本体の端面に重ねて軸支されるもの（特許文献１）の他、まな板本体の下端に設けた切り欠き内に、この切り欠き内に嵌装可能な平面形状を有するスタンド片が軸支されるもの（特許文献２）が公知である。
【０００６】
ところで、まな板を使用して食材を切った場合、まな板表面に付着した食材の一部や汁を介して雑菌や臭いがまな板に残る危険がある。そのため、例えばまな板の表面は魚用に裏面は野菜用に使用するなどの表裏の使い分けが行われる場合がある。そして、使用者において表裏を取り違えないように、まな板の表裏面に識別表示を付することが提案されている（特許文献３）。
【０００７】
通常はまな板は頻繁に表裏をひっくり返すことはないが、前記の両面使いのまな板の場合はその頻度が高い。この場合、まな板を平坦面に置いた場合はそれを裏返すに際してはまな板の両端を両手で挟持して一旦持ち上がるなどの作業が必要で煩わしかった。そのため、これを解消するためにまな板本体の外方側に指先を挿入可能な窪み部を設けることが提案されている（特許文献４）。
【先行技術文献】
【特許文献】
【０００８】
【特許文献１】実願昭５９−１８８２１５号（実開昭６１−１０３０５０号）のマイクロフィルム
【特許文献２】実用新案登録第３０５６７８６号公報
【特許文献３】実開平６−８１４３４号公報
【考案の概要】
【考案が解決しようとする課題】
【０００９】
使用者において表裏を取り違えないように、まな板の表裏面に識別表示を付することは有用な考案である。しかしながら、まな板の製造にあたり表裏面に識別表示を付する工程が必要となり、まな板の製造コストが増加する問題があった。また、まな板を使い分けたい対象は単に魚と野菜だけではなく、例えば肉やパンなど多岐に渡り、家庭において両面使いのまな板を複数枚使用する場面も想定し得る。この場合、多岐に渡る食材の識別表示をそれぞれのまな板に施して製造することは、製造すべきまな板の種類の増加となり製造効率に問題が生じることとなる。
【００１０】
また、まな板本体の外方側に指先を挿入可能な窪み部を設け、これを手がかりとしてまな板を裏返しやすくすることは有用な考案である。しかしながら、まな板の製造にあたり窪み部を設ける工程が必要となり、まな板の製造コストが増加する問題があった。
【課題を解決するための手段】
【００１１】
この考案は前記の問題点に鑑みて創作されたものであり、まな板本体の下端に設けた切り欠き内に、この切り欠き内に嵌装可能な平面形状を有するスタンド片を軸支し、上記スタンド片を回動によりまな板本体の厚み方向に突出させることにより端面を上下に向けた状態で自立可能としたまな板において、切り欠きおよびこれに対応するスタンド片の平面形状を左右非対称とすることによりまな板本体に対しスタンド片が１８０度回転することを防止するとともに、スタンド片の表裏面に表裏を識別するための表示を施したことを特徴とする。
【００１２】
また、請求項２記載の考案は、前記のまな板において切り欠きをまな板本体の隅角箇所に設けるとともに、そこに嵌装されるスタンド片のまな板本体の外方側に指先を挿入可能な窪み部を設けたことを特徴とする。
【考案の効果】
【００１３】
以上の構成よりなるこの考案のまな板によれば、スタンド片を回動によりまな板本体の厚み方向に突出させることによりまな板をその端面を上下に向けた自立できるので、使用後の効果的な水切り及び乾燥を行うことができ、衛生的なまな板が実現される。また、スタンド片の表裏面には表裏を識別するための表示が施されているので使用者においてまな板の表裏を取り違えることが防止され、食材別のまな板の表裏の使い分け作業に寄与する。
【００１４】
ところで、前記の場合、スタンド片がまな板に対し１８０度回転して裏返されてしまうと、スタンド片の表裏面の識別表示とまな板の面とが不一致となってしまう。この考案においては、切り欠きおよびこれに対応するスタンド片の平面形状を左右非対称としているので、まな板本体に対しスタンド片を１８０度回転しようとしても、図１０に示すようにスタンド片と切り欠きの非対称箇所が衝突して切り欠きにスタンド片を嵌装することができず前記の事態が防止されることとなる。
【００１５】
一方、まな板の表裏面の識別表示はまな板本体でなく、より製造が容易な別部材であるスタンド片に施されるので、まな板の製造コストの増加を最小限で抑えることができる。同様に、まな板本体は一種類で、スタンド片を識別表示別に他種類用意しておけば、これらの組み合わせで多岐に渡る食材の識別表示を施したまな板の需要に対応できるので、製造効率もよい。
【００１６】
また、請求項２記載の考案によれば、スタンド片のまな板本体の外方側に指先を挿入可能な窪み部を設けてているので、まな板を平坦面に置いた場合でも、ここに指先を挿入してまな板を持ち上げれば容易に裏返すことができる。そして、この窪みはまな板本体でなく、より製造が容易な別部材であるスタンド片に着目してそこに施されるので、まな板の製造コストの増加を最小限で抑えることができる。
【図面の簡単な説明】
【００１７】
【図１】この考案のまな板のスタンド片を切り欠きに嵌装させた状態の斜視図。
【図２】同上、スタンド片を回動によりまな板本体の厚み方向に突出させた状態の斜視図。
【図３】同上、スタンド片を切り欠きに嵌装させた状態の正面図。
【図４】同上、スタンド片を切り欠きに嵌装させた状態の底面図。
【図５】同上、スタンド片を切り欠きに嵌装させた状態の側面図。
【図６】同上、スタンド片を回動によりまな板本体の厚み方向に突出させた状態の正面図。
【図７】同上、スタンド片を回動によりまな板本体の厚み方向に突出させた状態の底面図。
【図８】同上、スタンド片を回動によりまな板本体の厚み方向に突出させた状態の側面図。
【図９】同上、スタンド片を切り欠きに嵌装させた状態の要部の背面図。
【図１０】同上、スタンド片を切り欠きに対し回動させた状態の要部の背面図。
【考案を実施するための形態】
【００１８】
以下、この考案のまな板の具体的実施例を添付図面に基づいて説明する。このまな板はまな板本体１とこれと別部材のスタンド片３により構成される。これらは合成樹脂により成型されるが、例えばまな板本体１は押し出し成型、スタンド片３は射出成型などの異なる成型方により成型されてもよい。
【００１９】
まな板本体１は矩形の公知のものであり、下端にスタンド体３を嵌装するための切り欠き２が設けられる。この切り欠き２の位置としては、まな板本体１の下端中央も想定できるが、この実施例においてはまな板本体の隅角箇所に設けている。すなわち、スタンド体３は二方がまな板本体１に囲まれるが、一方はまな板本体の外方側に開放されることとなる。
【００２０】
前記の切り欠き２およびこれに対応するスタンド片３の平面形状は左右非対称とされる。この実施例ではそれぞれの一端が上辺から側辺が直角に下降した形状であるのに対し、他端を側辺がスロープ状に下降した形状としている。
【００２１】
前記のスタンド片３は、まな板本体１内に螺合されるネジ５により切り欠き２内に回動自在に枢支される（図９参照）。ただし、この場合、前記したように切り欠き２およびこれに対応するスタンド片３の平面形状を左右非対称としているので、まな板本体１に対しスタンド片を１８０度回転しようとしても、図１０に示すようにスタンド片と切り欠きの非対称箇所が衝突してそれを阻止する。
【００２２】
図中符号Ｐ１、Ｐ２はスタンド片３の表裏に施される表裏を識別するための表示である。ここではそれぞれ魚の絵、野菜の絵を例示しているが、表示は文字や色彩であってもよいことはもちろんである。
【００２３】
図中符号４Ａ、４Ｂはスタンド片３のまな板本体の外方側に設けられる窪み部であり、表裏対称に設けられる。この窪み部４Ａ、４Ｂは指先を挿入可能なものであれば、その形状は問わない。
【符号の説明】
【００２４】
１                まな板本体
２                切り欠き
３                スタンド片
Ｐ１、Ｐ２        表示
【図１】
0003182745.tif 000003
【図２】
0003182745.tif 000004
【図３】
0003182745.tif 000005
【図４】
0003182745.tif 000006
【図５】
0003182745.tif 000007
【図６】
0003182745.tif 000008
【図７】
0003182745.tif 000009
【図８】
0003182745.tif 000010
【図９】
0003182745.tif 000011
【図１０】
0003182745.tif 000012